(57)【特許請求の範囲】
【請求項１】
両端部に剛性を有する部材からなる連結部材を取着した支持体を備え、搬送レールに吊下げられて移動し、該支持体に吊り下げられた衣服の搬送に用いられる衣服吊下げ搬送装置であって、前記連結部材を他の連結部材に係合して２個の衣服吊下げ搬送装置を連結するようにしたものにおいて、
前記連結部材は、支持体の端面部に取付けられた基板部と、
この基板部の一方の端部から前方へ突出した支持部と、
この支持部の先端部に設けられ前記支持体の中心線を横切って後退する傾斜した係合部と、
前記基板部の他方の端部に突出して設けられ連結される衣服吊下げ搬送装置の連結部材を案内するとともに連結状態の前記２個の衣服吊下げ搬送装置の中心線が交差し交差角が過度に小さくなったときに前記他の連結部材の支持部に先端が当接して該交差角を保持するガイド部とを備えたことを特徴とする衣服吊下げ搬送装置。
【発明の詳細な説明】
【０００１】
【発明の属する技術分野】
搬送レールに吊下げられて移動し、前後の衣服吊下げ搬送装置（以下、「吊下げ搬送装置」ともいう。）と連結するための連結部材を備えた吊下げ搬送装置に関する。
【０００２】
【従来の技術】
支持レールに吊下げられた搬送装置を、前後の搬送装置と連結するものとしては、特開平７−１７２５４６号に開示された連結装置が知られている。
これは、衣服を吊下げる支持管の端部に円弧状の湾曲ウェブを有する連結要素を取付け、これらの連結要素の湾曲ウェブを相互に係合することにより、２個の搬送装置を連結するものである。
【０００３】
【発明が解決しようとする課題】
上述の連結要素は、湾曲ウェブをからませて相互に係合しているので、一方の湾曲ウェブの先端が他方の湾曲ウェブの内周面に点接触している。従って、２個の連結装置が移動するとき、一方の湾曲ウェブの先端は、他方の湾曲ウェブの内周面に沿って自由に移動できるので、搬送中の連結装置の搖れが大きくなり、従って振動、騒音も大きくなるという問題がある。
【０００４】
本発明は、上記の事情に鑑みてなされたもので、その目的は、前後の搬送装置を強固に連結して搖れが少なく安定した搬送ができ、しかも、振動及び騒音が低減できる吊下げ搬送装置を提供するにある。
【０００５】
【課題を解決するための手段】
本発明は、両端部に剛性を有する部材からなる連結部材を取着した支持体を備え、搬送レールに吊下げられて移動し、該支持体に吊り下げられた衣服の搬送に用いられる衣服吊下げ搬送装置であって、前記連結部材を他の連結部材に係合して２個の衣服吊下げ搬送装置を連結するようにしたものにおいて、
前記連結部材は、支持体の端面部に取付けられた基板部と、
この基板部の一方の端部から前方へ突出した支持部と、
この支持部の先端部に設けられ前記支持体の中心線を横切って後退する傾斜した係合部と、
前記基板部の他方の端部に突出して設けられ連結される衣服吊下げ搬送装置の連結部材を案内するとともに連結状態の前記２個の衣服吊下げ搬送装置の中心線が交差し交差角が過度に小さくなったときに前記他の連結部材の支持部に先端が当接して該交差角を保持するガイド部とを備えたところに特徴を有する。
【０００６】
【発明の実施の形態】
以下、本発明の吊下げ搬送装置１につき図１〜図７を参照して説明する。
図１において、支持体１１は、長尺の管材から形成されており、両端部に支持体１１を上下に貫通する孔１２が形成され、この孔１２に、上方からばね１３が挿入されている。このばね１３には、下端部にナット１４がねじ込まれ、上端部にはフック１５がねじ込まれている。そして、孔１２の下方からワシヤ１６及びボルト１７が挿入され、ボルト１７がナット１４に螺着して支持体１１に取着されている。
【０００７】
吊下げ装置２１は、図２に示すように、フック１５の孔１９に挿入された基部２２と、基部２２の両端から上方へ二股状に設けられた「く字状」の一方の脚部たる第１の脚部２３及び他方の脚部たる第２の脚部２４とから構成されており、上端部にローラー２５が回転可能に取着されている。
第１の脚部２３は、基部２２に一体に接続された下部脚２３ａと、下部脚２３ａに対してぴん２６を介して回動可能に連結された「く字状」の上部脚２３ｂとから構成されており、下部脚２３ａ及び上部脚２３ｂの外周に固定管２７が摺動可能に嵌合されている。
【０００８】
この固定管２７は、常時は、第１の脚部２３の下端に位置しその上端部はぴん２６を覆って上部脚２３ｂに嵌合しており、上部脚２３ｂが下部脚２３ａに対して回動不能に拘束している。また、上方へ摺動されたとき、その下端部がぴん２６よりも上方に位置して下部脚２３ａから脱出し、上部脚２３ｂが二点鎖線で示すように下部脚２３ａに対して回動可能にされる。
【０００９】
連結部材３１は、剛性を有する部材例えば金属製の板材から構成されており、支持体１１の両端面部に取付けられている。
この連結部材３１は、図３にも示すように、支持体１１の端面部に取付けられた基板部３２と、基板部３２の一方の端部３２ａ（例えば支持体１１の軸端に向かって右側の端部）から斜め前方へ突出した支持部３３と、支持部３３の先端から斜め後方に向けて設けられ支持体１１の中心線１１ａを横切る平板状の係合部３４と、基板部１１の他方の端部３２ｂ（例えば支持体１１の軸端に向かって左側の端部）に突設され支持部３３とほぼ平行なガイド部３５から構成されている。
吊下げ搬送装置１は、２個の係合部３４が図３に示すように相互に係合することにより、隣接する２個の吊下げ搬送装置１が相互に連結されて一体に移動する。
【００１０】
吊下げ搬送装置１は、吊下げ装置２１が搬送レール２を跨ぐように配置され、ローラー２５が図２に示すように、搬送レール２の上面に載置される。そして、支持体１１に吊下げられた衣服は、吊下げ搬送装置１とともに搬送レール２に沿って移動する。
【００１１】
吊下げ装置２１を搬送レール２から取外す場合は、支持体１１を片手で支え、図２に示すように、固定管２７を上方へ摺動させるとともに上部脚２３ｂを矢印Ａ方向へ倒せば、２個のローラー２５間の間隔が広くなるので、支持体１１を支えながら全体を下方へ移動すれば、吊下げ搬送装置１を搬送レール２から取外すことができる。
【００１２】
つぎに、２個の吊下げ搬送装置１を連結する手順について説明する。
まず、図４において、吊下げ搬送装置１を相互に接近させると、２個の係合部３４が背中合わせに当接する。吊下げ搬送装置１は、図２に示すように、搬送レール２を中心として下端の支持体１１が揺動可能に構成されているので、吊下げ搬送装置１をさらに矢印Ｂ方向に移動すると、係合部３４は傾斜面に沿って夫々矢印Ｃ方向に後退する。
【００１３】
そして、図５に示すように、一方の係合部３４の先端３４ａが他方の係合部３４の先端３４ａに交差すると、一方の係合部３４は他方の連結部材３１の内部に夫々挿入される。
そして、支持部３３の先端がガイド部３５に当接する。
【００１４】
支持部３３はガイド部３５の傾斜面に沿って２個の係合部３４が重なる矢印Ｄ方向に移動されて図６の状態に至る。
この状態においては、２個の係合部３４は離反しているので、図４に示すような係合部３４を傾斜面に沿って夫々矢印Ｃ方向に移動する付勢力は存在しない。従って、搬送レール２を中心に揺動された２個の連結部材３１は、両側の支持体１１の中心線１１ａが一致する方向即ち矢印Ｄ方向に復帰される。
【００１５】
そこで、一方の吊下げ搬送装置１を前進させれば、２個の係合部３４は内面が密着した状態で係合し、夫々の支持体１１の中心線１１ａが一致した連結状態になる。
【００１６】
この連結状態においては、前の吊下げ搬送装置１が前進すれば、前の係合部３４が後の係合部３４を引き寄せて両者が密着状態に圧接されるので、前後の吊下げ搬送装置１が一体化され、相対的な移動が制約される。従って、吊下げ搬送装置１の横搖れが防止され、また、吊下げ搬送装置１の振動及び騒音も防止できる。
【００１７】
また、吊下げ搬送装置１が搬送レール２の曲線部まで移動すると、前後の支持体１１の中心線１１ａが交差して、係合部３４が浅くなる。
然しながら、交差角αが過度に小さくなった場合には、図７に示すように、一方のガイド部３５が他方の支持部３３に当接して、交差角αを適度に保持するので、係合部３４が外れることがなく、連結状態が確実に維持できる。
【００１８】
尚、連結部材３１は、金属製の板材から構成したので、前後の連結部材３１は連結状態においても相対的に上下に移動させることができる。
従って、前後の吊下げ搬送装置１が連結された状態にあっても、吊下げ装置２１を解除すれば、中間の吊下げ搬送装置１を分離して取外すことができる。
【００１９】
【発明の効果】
本発明は、両端部に剛性を有する部材からなる連結部材を取着した支持体を備え、搬送レールに吊下げられて移動し、該支持体に吊り下げられた衣服の搬送に用いられる衣服吊下げ搬送装置であって、前記連結部材を他の連結部材に係合して２個の衣服吊下げ搬送装置を連結するようにしたものにおいて、
前記連結部材は、支持体の端面部に取付けられた基板部と、
この基板部の一方の端部から前方へ突出した支持部と、
この支持部の先端部に設けられ前記支持体の中心線を横切って後退する傾斜した係合部と、
前記基板部の他方の端部に突出して設けられ連結される衣服吊下げ搬送装置の連結部材を案内するとともに連結状態の前記２個の衣服吊下げ搬送装置の中心線が交差し交差角が過度に小さくなったときに前記他の連結部材の支持部に先端が当接して該交差角を保持するガイド部とを備えたので、前後の搬送装置を強固に連結して、搖れが少なく安定した搬送ができ、しかも、振動及び騒音が低減できるという優れた効果を奏するものである。
【図面の簡単な説明】
【図１】  搬送装置の斜視図である。
【図２】  吊下げ装置において固定管を破断した状態を示す正面図である。
【図３】  ２個の連結部材を連結した状態を示す平面図である。
【図４】  ２個の連結部材を連結する第１の工程を示す図である。
【図５】  ２個の連結部材を連結する第２の工程を示す図である。
【図６】  ２個の連結部材を連結する第３の工程を示す図である。
【図７】  搬送レールが曲線部にあるときの２個の連結部材の関係を示す図である。
【符号の説明】
１  吊下げ搬送装置
２  搬送レール
１１  支持体
１１ａ中心線
３１  連結部材
３２  基板部
３２ａ一方の端部
３２ｂ他方の端部
３３  支持部
３４  係合部
３５  ガイド部
【図１】
0003738294.tif 000002
【図２】
0003738294.tif 000003
【図３】
0003738294.tif 000004
【図４】
0003738294.tif 000005
【図５】
0003738294.tif 000006
【図６】
0003738294.tif 000007
【図７】
0003738294.tif 000008